(57)【要約】【課題】胴部を二重にした紙製の容器であって、スタック時におけるブロッキング現象を起こさないようにした断熱性容器を提供すること。【解決手段】胴部１１の上方開口縁に外向きカール部１３を有する上拡がりの紙カップ本体１０と、胴部２１の上方及び下方共に開口してなる上拡がりの紙製の外筒２０とからなり、外筒２０はその胴部２１が紙カップ本体１０の胴部１１より裾拡がりとなるテーパーを有しており、外筒２０の上方内面が紙カップ本体１０における外向きカール部直下の側壁外周に接触すると共に外筒２０の下端がその内側で紙カップ本体１０の胴部１１との間に間隔保持部を介することにより、紙カップ本体１０の胴部１１と外筒２０の胴部２１との間に断熱用の空間が形成されてなる断熱性容器Ｃであって、紙カップ本体１０には、上側に積み重ねられた断熱性容器Ｃにおける外筒２０の下端が載る突条１５を内面側に突き出るように設ける。【選択図】図１
2012192959.tif 000002
【特許請求の範囲】
【請求項１】
胴部の上方開口縁に外向きカール部を有する上拡がりの紙カップ本体と、胴部の上方及び下方共に開口してなる上拡がりの紙製の外筒とからなり、外筒はその胴部が紙カップ本体の胴部より裾拡がりとなるテーパーを有しており、外筒の上方内面が紙カップ本体における外向きカール部直下の側壁外周に接触すると共に外筒の下端がその内側で紙カップ本体の胴部との間に間隔保持部を介することにより、紙カップ本体の胴部と外筒の胴部との間に断熱用の空間が形成されてなる断熱性容器であって、紙カップ本体には、上側に積み重ねられた断熱性容器における外筒の下端が載る突条を内面側に突き出るように設けたことを特徴とする断熱性容器。
【請求項２】
外筒の下方開口縁に形成した内向きカール部を紙カップ本体の胴部との間の間隔保持部としたことを特徴とする請求項１に記載の断熱性容器。
【請求項３】
外筒の下方開口縁に形成した折返し部を紙カップ本体の胴部との間の間隔保持部としたことを特徴とする請求項１に記載の断熱性容器。
【発明の詳細な説明】
【技術分野】
【０００１】
本発明は、インスタントラーメンやその他の即席食品を入れる容器の技術分野に属するもので、詳しくは、熱湯を注いで中身をそのまま食することのできるカップ状の断熱性容器に関する。
【背景技術】
【０００２】
この種のカップ状をした断熱性容器として、一時は主流であった発泡ポリスチレンなどのプラスチック製のものに代え、最近では、特許文献１に記載のように、通常の紙カップからなるカップ本体に対してテーパーの異なった底なしの外筒を組み合わせるという簡単な構成により、胴部を二重にして断熱用の空隙を形成した紙製の断熱性容器が広く用いられている。
【０００３】
また、カップ本体と外筒との間の空隙をある程度の間隔で形成するため、特許文献２，３のように、紙カップ本体の胴部上方に外向き段部を周回方向に連続してあるいは不連続に設けるようにしたものや、特許文献４，５のように、外筒の胴部上方に内側に凹んだ縦罫線や横罫線を設けるようにしたものも知られている。
【先行技術文献】
【特許文献】
【０００４】
【特許文献１】実開平４−４５２１２号公報
【特許文献２】特開２００１−１７１６４２号公報
【特許文献３】特開２０００−１０３４７６号公報
【特許文献４】特開２０００−１０３４７８号公報
【特許文献５】特開２０００−１０３４７９号公報
【発明の概要】
【発明が解決しようとする課題】
【０００５】
従来の技術で述べたタイプの断熱性容器は、上方開口縁に外向きカール部を有する上拡がりの紙カップ本体と、上方及び下方共に開口しており下方開口縁に内向きカール部を有する上拡がりの紙製の外筒とで構成されている。そして、外筒はその上方開口内面が紙カップ本体における外向きカール部直下の側壁外周に接触すると共にその下方開口縁の内向きカール部が紙カップ本体の下方の側壁外周に接触する大きさになっており、紙カップ本体に外筒を被せ外筒の上方開口内面を紙カップ本体における外向きカール部直下の側壁外周に接着して両者を一体としている。
【０００６】
したがって、この断熱性容器を多数個積み重ねると、下側の断熱性容器におけるカップ本体よりも上側の断熱性容器における外筒の方が少し先細りであることから、外筒の下端がカップ本体の内面を押し広げる向きで当接した状態となり、積み重ね状態から１個ずつ取り出す際に、２個の容器どうしが互いに密着して分離しにくくなるというブロッキング現象を生じ、一度に２個取りを起こすという問題があった。
【０００７】
本発明は、上記のような問題を解決するためになされたものであり、その目的とするところは、胴部を二重にした紙製の容器であって、スタック時におけるブロッキング現象を起こさないようにした断熱性容器を提供することにある。
【課題を解決するための手段】
【０００８】
上記の目的を達成するため、本発明の断熱性容器は、胴部の上方開口縁に外向きカール部を有する上拡がりの紙カップ本体と、胴部の上方及び下方共に開口してなる上拡がりの紙製の外筒とからなり、外筒はその胴部が紙カップ本体の胴部より裾拡がりとなるテーパーを有しており、外筒の上方内面が紙カップ本体における外向きカール部直下の側壁外周に接触すると共に外筒の下端がその内側で紙カップ本体の胴部との間に間隔保持部を介することにより、紙カップ本体の胴部と外筒の胴部との間に断熱用の空間が形成されてなる断熱性容器であって、紙カップ本体には、上側に積み重ねられた断熱性容器における外筒の下端が載る突条を内面側に突き出るように設けたことを特徴とする。
【０００９】
そして、外筒の下方開口縁に形成した内向きカール部を紙カップ本体の胴部との間の間隔保持部としてもよいし、外筒の下方開口縁に形成した折返し部を紙カップ本体の胴部との間の間隔保持部としてもよい。
【発明の効果】
【００１０】
本発明の断熱性容器は、胴部の上方開口縁に外向きカール部を有する上拡がりの紙カップ本体と、胴部の上方及び下方共に開口してなる上拡がりの紙製の外筒とからなり、外筒はその胴部が紙カップ本体の胴部より裾拡がりとなるテーパーを有しており、外筒の上方内面が紙カップ本体における外向きカール部直下の側壁外周に接触すると共に外筒の下端がその内側で紙カップ本体の胴部との間に間隔保持部を介することにより、紙カップ本体の胴部と外筒の胴部との間に断熱用の空間が形成されてなる断熱性容器であって、紙カップ本体には、上側に積み重ねられた断熱性容器における外筒の下端が載る突条を内面側に突き出るように設けたことを特徴としているので、複数個を積み重ねた状態では、上側の断熱性容器における外筒の下端が下側の断熱性容器における紙カップ本体の突条の上に載った状態になり、多数個をスタックしても下側の断熱性容器における紙カップ本体の内面に上側の断熱性容器における外筒の下端が入り込んでいくことがなく、スタック状態から１個ずつ取り出す際に、２個の容器どうしが互いに密着して分離しにくくなるというブロッキング現象を生じることがない。
【図面の簡単な説明】
【００１１】
【図１】本発明に係る断熱性容器一例を示す示す断面図である。
【図２】図１の断熱性容器を積み重ねた状態で示す半断面図である。
【図３】図２の一部を拡大して示す説明図である。
【発明を実施するための形態】
【００１２】
次に、本発明の実施形態について図面を参照しながら詳細に説明する。
【００１３】
図１に示すように、断熱性容器Ｃは、有底の紙カップ本体１０と、上方及び下方共に開口した中空円筒状の外筒２０とを組み合わせて構成されている。
【００１４】
紙カップ本体１０は、内面もしくは内外両面にポリエチレン等の合成樹脂をコーティングした紙からなるもので、通常の紙カップと同様に、扇形状のブランクを丸めた胴部１１の下方に円形状の底板１２を巻き締めると共に上方開口縁に外向きカール部１３を形成したものであり、さらに胴部１１の上方に周回方向に外向き段部１４を設けてある。この外向き段部１４は周回方向に不連続状態で設けてあってもよい。
【００１５】
一方、外筒２０は、紙単体もしくは片面又は両面にポリエチレン等の合成樹脂をコーティングした扇形状の紙からできており、胴部２１の下方開口縁に内向きカール部２２が形成されている。紙カップ本体１０と同様に外筒２０も上拡がりであるが、外筒２０はその胴部２１が紙カップ本体１０の胴部１１より少しだけ裾拡がりとなるテーパーを有しており、外筒２０の上方内面が紙カップ本体１０における外向きカール部１３直下の側壁外周に接触すると共にその下方開口縁の内向きカール部２２が紙カップ本体１０の下方の側壁外周に接触する大きさになっている。すなわち、内向きカール部２２が紙カップ本体１０の胴部１１との間の間隔保持部を形成している。
【００１６】
そして、紙カップ本体１０には、上側に積み重ねられた断熱性容器Ｃにおける外筒２０の下端が載る突条１５が内面側に突き出るように設けられている。この突条１５は、カップ成形機において外向きカール部１３のカール形成工程と同時に形成するか別の工程で形成することができる。あるいは、カップ成形機とは別の加工機にて形成するようにしてもよい。
【００１７】
紙カップ本体１０と外筒２０を組み合わせるには、紙カップ本体１０の外側に外筒２０を被せ、外筒２０の上方内面を紙カップ本体１０における外向きカール部直下の側壁外周、すなわちここでは外向き段部１４の外面に水性エマルジョン糊やホットメルトなどの接着剤で止めて両者を一体とする。これにより断熱性容器Ｃが形成される。なお、使用形態によっては、外筒２０の下方開口縁に形成された内向きカール部２２の部分も紙カップ本体１０の胴部１１に接着することにより、紙カップ本体１０と外筒２０の結合がより確実になるようにすることができる。
【００１８】
このようにして形成された断熱性容器Ｃは、テーパーの異なる紙カップ本体１０の胴部１１と外筒２０の胴部２１の間に空隙が形成され、この空隙の部分が断熱作用を果たすので、紙カップ本体１０の中に熱湯を入れた場合、紙カップ本体１０の胴部１１の熱が外筒２０の胴部２１に伝わるのが防止される。
【００１９】
そして、この断熱性容器Ｃを空の状態で積み重ねると、図２及び図３に示すように、上側の断熱性容器１Ｃにおける外筒２０の下端が下側の断熱性容器Ｃにおける紙カップ本体１０の突条１５の上に載った状態になる。したがって、多数個をスタックしても下側の断熱性容器Ｃにおける紙カップ本体１０の内面に上側の断熱性容器Ｃにおける外筒２０の下端が入り込んでいくことがなく、スタック状態から１個ずつ取り出す際に、２個の容器どうしが互いに密着して分離しにくくなるというブロッキング現象を生じることがない。
【００２０】
なお、図１の断熱性容器Ｃでは、周回方向に連続する形状で突条１５を設けているが断続的に設けるようにしてもよく、このように突条を断続的に設けると、隣接する突条の隙間から空気が抜けやすくなるのでスタッキング性が向上する。
【００２１】
また、図１の断熱性容器Ｃでは、外筒２０における下方開口縁に内向きカール部２２を形成しているが、この内向きカール部２２をテーパー面より多少外側に膨らむように形成してもよい。外筒２０の内向きカール部２２をこのような形状にすることで、スタックした際に、紙カップ本体１０の突条１５の上に外筒２０の内向きカール部２２の外側部分の膨らみ部分が係止することになってブロッキング現象の発生がより少なくなる。
【００２２】
また、図１の断熱性容器Ｃでは、外筒２０における下方開口縁の内向きカール部２２を紙カップ本体１０の胴部１１との間の間隔保持部としたが、外筒２０の下方開口縁に折返し部を形成し、これを紙カップ本体１０の胴部１１との間の間隔保持部としてもよい。
【００２３】
以上、本発明を実施するための形態について詳細に説明してきたが、本発明による断熱性容器は、上記の形態に何ら限定されるものではなく、背景技術で挙げた特許文献に記載の断熱性容器を始めとして、紙カップ本体に対してテーパーの異なった底なしの外筒を組み合わたタイプの公知の断熱性容器に適用することが可能であり、本発明の趣旨を逸脱しない範囲において種々の変更が可能であることは当然のことである。
【産業上の利用可能性】
【００２４】
本発明の断熱性容器は、インスタントラーメンやその他の即席食品を入れる容器として用いられるほか、ファーストフードの店頭にて熱いか或いは冷たい中身を入れるような場合にも好適に利用することができる。
【符号の説明】
【００２５】
Ｃ  断熱性容器
１０  紙カップ本体
１２  底板
１３  外向きカール部
１４  外向き段部
１５  突条
２０  外筒
２１  胴部
２２  内向きカール部
【図１】
2012192959.tif 000003
【図２】
2012192959.tif 000004
【図３】
2012192959.tif 000005